(57)【要約】【課題】廃棄物等の容器に用いても不衛生にならない高さ調整可能容器を提供する。【解決手段】高さ調整可能容器１は有底円筒状体４の上部の外周面に雄ねじ部５を備える内側容器２と、円筒状体７の内周面に、内側容器２の雄ねじ部５に螺合される雌ねじ部８を備える外側容器３とを備える。内側容器２は有底円筒状体４の上端部の外周縁に外側容器３の雌ねじ部８に密着するゴムパッキン６を備える。【選択図】  図１
0003189546.tif 000002
【実用新案登録請求の範囲】
【請求項１】
有底筒状体の上部の外周面に雄ねじ部を備える内側容器と、
筒状体の内周面に、該内側容器の雄ねじ部に螺合される雌ねじ部を備える外側容器とを備える高さ調整可能容器であって、
該内側容器は該有底筒状体の上端部の外周縁に該外側容器の雌ねじ部に密着するゴムパッキンを備えることを特徴とする高さ調整可能容器。
【請求項２】
請求項１記載の高さ調整可能容器において、前記外側容器は、上端部の内周面に複数の鍵型のフックを有することを特徴とする高さ調整可能容器。
【請求項３】
請求項１または請求項２記載の高さ調整可能容器において、前記外側容器は、上端部の外周面に複数の鍵型のフックを有することを特徴とする高さ調整可能容器。
【請求項４】
請求項１〜請求項３のいずれか１項記載の高さ調整可能容器において、合成樹脂、金属、木材、セラミックスからなる群から選択されるいずれか１種以上の材料からなることを特徴とする高さ調整可能容器。
【請求項５】
請求項１〜請求項４のいずれか１項記載の高さ調整可能容器において、前記外側容器は、前記筒状体の上部開放端部を閉蓋する着脱自在の蓋部材を備えることを特徴とする高さ調整可能容器。
【考案の詳細な説明】
【技術分野】
【０００１】
本考案は、廃棄物の容器等に用いられる高さ調整可能容器に関する。
【背景技術】
【０００２】
従来、ジャム等の食品容器として、高さ調整可能とした容器が知られている。前記容器は、有底円筒状体の上端部外周面に雄ねじ部を備える内側容器と、円筒状体の内周面に雌ねじ部を備える外側容器とを備え、該内側容器の雄ねじ部に該外側容器の雌ねじ部を螺合させることにより高さの調整を可能としている（特許文献１参照）。
【先行技術文献】
【特許文献】
【０００３】
【特許文献１】実願昭５７−１５０００２号（実開昭５９−５５１２５号）のマイクロフィルム
【考案の概要】
【考案が解決しようとする課題】
【０００４】
しかしながら、前記容器は内容物に液体を含む場合、前記内側容器と前記外側容器との螺合部から該液体が漏れ出すことがあり、該容器を廃棄物等の容器として用いようとすると内部の液体の漏出により不衛生になることがあるという不都合がある。
【０００５】
本考案は、前記不都合を解消して、廃棄物等の容器として用いた場合にも不衛生になることのない高さ調整可能容器を提供することを目的とする。
【課題を解決するための手段】
【０００６】
かかる目的を達成するために、本考案は、有底筒状体の上部の外周面に雄ねじ部を備える内側容器と、筒状体の内周面に、該内側容器の雄ねじ部に螺合される雌ねじ部を備える外側容器とを備える高さ調整可能容器であって、該内側容器は該有底筒状体の上端部の外周縁に該外側容器の雌ねじ部に密着するゴムパッキンを備えることを特徴とする。
【０００７】
本考案の高さ調整可能容器は、有底筒状体からなる内側容器と、筒状体からなる外側容器とを備えている。前記内側容器は前記有底筒状体の上部の外周面に雄ねじ部を備えており、前記外側容器は前記筒状体の内周面に雌ねじ部を備えている。
【０００８】
そこで、本考案の高さ調整可能容器は、前記内側容器の雄ねじ部に前記外側容器の雌ねじ部を螺合させ、該内側容器と該外側容器とを相互に回転させることにより、収容される廃棄物等の量に合わせて容器の高さを調整することができる。
【０００９】
ここで、前記廃棄物等が汚水等の液体を含む場合、該液体が前記内側容器と前記外側容器との螺合部から漏出して不衛生になることが懸念される。そこで、本考案の高さ調整可能容器では、前記内側容器は前記有底筒状体の上端部の外周縁に前記外側容器の雌ねじ部に密着するゴムパッキンを備えている。
【００１０】
本考案の高さ調整可能容器によれば、前記内側容器が前記ゴムパッキンを備えているので、前記廃棄物等が汚水等の液体を含む場合にも、前記内側容器と前記外側容器との螺合部からの該液体の漏出を阻止することができ、不衛生になることを防止することができる。
【００１１】
また、本考案の高さ調整可能容器は、前記外側容器が、上端部の内周面又は外周面に複数の鍵型のフックを有することを特徴とする。本考案の高さ調整可能容器は、前記外側容器が前記フックを備えることにより、該フックにレジ袋の手提げ部を掛けることができる。前記フックは、前記外側容器の上端部の内周面または外周面のいずれか一方だけに設けられていてもよく、内周面及び外周面の両方に設けられていてもよい。
【００１２】
また、本考案の高さ調整可能容器は、合成樹脂、金属、木材、セラミックスからなる群から選択されるいずれか１種以上の材料からなることを特徴とする。本考案の高さ調整可能容器は、前記いずれか１種の材料から、又は１種以上の材料を組み合わせてなることにより、容易に製造することができ、優れた耐久性を得ることができる。
【００１３】
また、本考案の高さ調整可能容器は、前記外側容器が、前記筒状体の上部開放端部を閉蓋する着脱自在の蓋部材を備えることを特徴とする。本考案の高さ調整可能容器は、前記外側容器が前記蓋部材を備えることにより、収容される廃棄物等の悪臭を防止することができる。
【図面の簡単な説明】
【００１４】
【図１】本考案の高さ調整可能容器の一実施形態を示す模式的断面図。
【図２】本考案の高さ調整可能容器の他の実施形態を示す模式的断面図。
【図３】図２に示す高さ調整可能容器の一使用形態を示す斜視図。
【図４】図２に示す高さ調整可能容器の他の使用形態を示す斜視図。
【考案を実施するための形態】
【００１５】
次に、添付の図面を参照しながら本考案の実施の形態についてさらに詳しく説明する。
【００１６】
本実施形態の高さ調整可能容器１は、家庭ゴミ等の廃棄物の容器に用いられるものであり、図１に示すように、内側容器２と外側容器３とを備えている。内側容器２は有底円筒状体４からなり、有底円筒状体４の上部外周面に雄ねじ部５を備えている。また、内側容器２は有底円筒状体４の上端部外周縁にゴムパッキン６を備えている。一方、外側容器３は円筒状体７からなり、円筒状体７の内周面に雌ねじ部８を備えている。
【００１７】
また、外側容器３は円筒状体７の上部開放端部を閉蓋する着脱自在の蓋部材９を備えている。蓋部材９は、円筒状体７の上部開放端部を閉蓋することができればよく、図１に示す上方に凸のドーム型であってもよく、平板状であってもよい。
【００１８】
内側容器２、外側容器３及び蓋部材９は、例えば、合成樹脂、金属、木材、セラミックスからなる群から選択されるいずれか１種以上の材料により製造することができる。前記合成樹脂としては、例えば、ポリエチレン、ポリプロピレン、ポリ塩化ビニル、ＡＢＳ樹脂等を挙げることができる。また、前記金属としては、例えば、アルミニウム、アルミニウム合金等を挙げることができる。
【００１９】
内側容器２、外側容器３及び蓋部材９は、前記いずれか１種の材料、例えば、合成樹脂のみからなるものであってもよく、前記いずれか１種以上の材料を組合せであってもよい。前記１種以上の材料を組み合わせる場合、例えば、内側容器２を金属とし、外側容器３及び蓋部材９を合成樹脂とするように、部材により材料を変えて複数の材料を用いてもよい。また、内側容器２、外側容器３及び蓋部材９のそれぞれの一部分を金属とし、他の部分を合成樹脂として、１つの部材を複数の材料により構成するようにしてもよい。
【００２０】
高さ調整可能容器１は、内側容器２の雄ねじ部５に外側容器３の雌ねじ部８を螺合させることにより、内側容器２と外側容器３とを組み合わせて使用される。このとき、高さ調整可能容器１は、内側容器２と外側容器３とを相互に回転させることにより、収容される廃棄物等の量に合わせて、図１に実線で示す最も高い位置から、仮想線で示す最も低い位置まで、容器の高さを調整することができる。
【００２１】
また、高さ調整可能容器１では、内側容器２を形成する有底円筒状体４の上端部外周縁に備えられたゴムパッキン６が、外側容器３の内周面の雌ねじ部に密着するようになっている。従って、前記廃棄物が汚水等の液体を含む場合にも、該液体が内側容器２と外側容器３との螺合部から漏出することを阻止することができる。
【００２２】
また、高さ調整可能容器１は図２に示すように、外側容器３が、上端部の内周面及び外周面に複数の鍵型のフック１０ａ、１０ｂを有するものであってもよい。ここで、内周面側フック１０ａは上向きに、外周面側フック１０ｂは下向きに備えられている。尚、外側容器３は内周面側フック１０ａ又は外周面側フック１０ｂのいずれか一方のみを有するものであってもよい。
【００２３】
高さ調整可能容器１は、内周面側フック１０ａ又は外周面側フック１０ｂを備えることにより、図３及び図４に示すように、持ち手付きゴミ袋１１の持ち手部１２を内周面側フック１０ａ又は外周面側フック１０ｂに掛けることができる。尚、図３、４は、蓋部材9を外した状態の高さ調整可能容器１を示し、図３は内周面側フック１０ａに持ち手付きゴミ袋１１の持ち手部１２を掛けた状態、図４は外周面側フック１０ｂに持ち手付きゴミ袋１１の持ち手部１２を掛けた状態である。
【００２４】
この結果、高さ調整可能容器１は、その内部に持ち手付きゴミ袋１１を安定に配置することができ、廃棄物の投入に伴うずり落ち等のトラブルを防止することができる。また、持ち手付きゴミ袋１１に代えてレジ袋を用いることもできる。
【００２５】
尚、本実施形態において、内側容器２は有底円筒状体４からなり、外側容器３は円筒状体７からなるものとしているが、内側容器２と外側容器３とは相互の回転を妨げないものであれば、円筒形以外の形状であってもよい。この場合、例えば、内側容器２の雄ねじ部５から下の部分を、外側容器３の内周面と接触することのない範囲で多角形等の円筒形以外の形状としてもよく、外側容器３の外面を多角形等の円筒形以外の形状としてもよい。
【００２６】
また、本実施形態において、フック１０ａ、１０ｂを鍵型としているが、フック１０ａ、１０ｂは、持ち手付きゴミ袋１１の持ち手部１２を掛けることができる形状であればよく、鍵型以外の形状であってもよい。
【符号の説明】
【００２７】
１…高さ調整可能容器、  ２…内側容器、  ３…外側容器、  ４…有底円筒状体、  ５…雄ねじ部、  ６…ゴムパッキン、  ７…円筒状体、  ８…雌ねじ部、  ９…蓋部材、  １０ａ…内周側フック材、  １０ｂ…外周側フック材。
【図１】
0003189546.tif 000003
【図２】
0003189546.tif 000004
【図３】
0003189546.tif 000005
【図４】
0003189546.tif 000006